(57)【要約】  湿式静電集塵装置（１）は、汚染物質を含むガス（４）を受けるための入口（２）と、前記汚染物質の少なくとも一部が除去されたガス（８）を排出するための出口（６）とを包含する。ノズル（２４）が、少なくとも１つの集塵電極（１８）の少なくとも１つの第１の垂直集塵面（３０）上に液体を噴射するように作動する。液体分配器（４２）が、少なくとも１つの第２の垂直集塵面（４４）上に液体を注ぐために設けられており、前記少なくとも１つの第２の垂直集塵面（４４）が更なる集塵電極（３６）上に位置され、前記更なる集塵電極（３６）が前記少なくとも１つの集塵電極（１８）の下流側に位置する。ノズル（２４）は、ガスの流れ方向に関して見て、液体分配器（４２）の上流側に位置する。集塵電極（１８，３６）を洗浄する方法では、上流側電極（１８）に液体が噴射され、一方、液体が下流側の集塵電極（３６）上に注がれる。
2009539579.tif 000002
【特許請求の範囲】
【請求項１】
汚染物質を含むガス（４；１０４；２０４）を受けるための入口（２；１０２；２０２）と、前記汚染物質の少なくとも一部が除去されたガス（８；１０８；２０８）を排出するための出口（６；１０６；２０６）と、ガスが前記入口（２；１０２；２０２）から前記出口（４；１０４；２０４）へと略水平に流通するケーシング（９；１０９；２０９）と、少なくとも１つの放電電極（１６，３４）と、少なくとも１つの集塵電極（１８，３６；１１８，１１９，１３６；２１８）とを包含する湿式静電集塵装置（１；１００；２００）において、更に、
前記少なくとも１つの集塵電極（１８；１１８，１１９；２１８）の少なくとも１つの第１の垂直集塵面（３０；１３０；２３０）上に液体を噴射するように作動するノズル（２４；１２４；２２４）の組（２２；１２２，１２３；２２２）と、
少なくとも１つの第２の垂直集塵面（４４；１４４；２４４）上に液体を注ぐように作動する少なくとも１つの液体分配器（４２；１４２；２４２）であって、前記少なくとも１つの第２の垂直集塵面（４４；１４４；２４４）が前記少なくとも１つの第１の垂直集塵面（２３０）の下流側の前記少なくとも１つの集塵電極（２１８）および少なくとも１つの更なる集塵電極（３６；１３６）のうちの一方に少なくとも位置し、前記少なくとも１つの更なる集塵電極（３６；１３６）がガスの流れ方向に関して見て前記少なくとも１つの集塵電極（１８；１１８，１１９）の下流側に位置する、少なくとも１つの液体分配器（４２；１４２；２４２）と、
を包含し、
前記ノズルの前記組（２２；１２２，１２３；２２２）がガスの流れ方向に関して見て前記少なくとも１つの液体分配器（４２；１４２；２４２）の上流側に位置することを特徴とする湿式静電集塵装置（１；１００；２００）。
【請求項２】
請求項１記載の湿式静電集塵装置において、更に、少なくとも第１の領域（１０；１１０）および第２の領域（１２；１１２）を包含し、前記第１の領域（１０；１１０）が放電電極（１６）と集塵電極（１８；１１８）とから成る第１の組（１４）を包含し、前記第２の領域（１２；１１２）が放電電極（３４）と集塵電極（３６；１３６）とから成る第２の組（３２）を包含し、前記ノズル（２４；１２４）の前記組（２２；１２２）が前記第１の組（１４）の集塵電極（１８；１１８）の第１の垂直集塵面（３０；１３０）上に液体を噴射するようになっており、また前記第２の組（３２）の集塵電極（３６；１３６）の第２の垂直集塵面（４４；１４４）上に液体を注ぐべく作用するために液体分配器（４２；１４２）の組（４０；１４０）が設けられ、前記第２の領域（１２；１１２）がガスの流れ方向に関して見て前記第１の領域（１０；１１０）の下流側に位置するとともに、前記ノズル（２４；１２４）の前記組（２２；１２２）によって形成される液滴を収集するようになっている湿式静電集塵装置。
【請求項３】
請求項２記載の湿式静電集塵装置において、前記第２の領域（１２；１１２）が前記出口（６；１０６）に隣接して位置する最後の領域である湿式静電集塵装置。
【請求項４】
請求項１〜３のいずれか一項に記載の湿式静電集塵装置において、前記少なくとも１つの液体分配器（４２；１４２）が少なくとも１つのチューブ（４２；１４３；１４５）を包含し、前記少なくとも１つのチューブのそれぞれが、集塵電極プレート（３６）に沿って延びるとともに、少なくとも１つの開口（６８；１６８）を包含し、前記開口を通じて液体がチューブ（４２；１４３，１４５）から集塵電極プレート（３６）の第２の垂直集塵面（４４）へと流れることができる湿式静電集塵装置。
【請求項５】
請求項４記載の湿式静電集塵装置において、前記開口（６８；１６８）から流れる液体が４ｍ／ｓ未満の速度を有する湿式静電集塵装置。
【請求項６】
請求項１〜５のいずれか一項に記載の湿式静電集塵装置において、前記少なくとも１つの液体分配器（４２；１４２；２４２）へ供給される液体の少なくとも５０％が新鮮な補給液体である湿式静電集塵装置。
【請求項７】
請求項６記載の湿式静電集塵装置において、前記少なくとも１つの液体分配器（４２；１４２；２４２）へ供給される液体のほぼ全てが新鮮な補給液体である湿式静電集塵装置。
【請求項８】
請求項１〜７のいずれか一項に記載の湿式静電集塵装置において、湿式静電集塵装置（１；１００；２００）へ供給される新鮮な補給液体の５０％を超える量が前記少なくとも１つの液体分配器（４２；１４２；２４２）へ供給される湿式静電集塵装置
【請求項９】
請求項１〜８のいずれか一項に記載の湿式静電集塵装置において、前記ノズル（２４；２２４）の前記組（２２；２２２）へ供給された液体および前記少なくとも１つの液体分配器（４２；２４２）へ供給された液体が共通のタンク（５６；２５６）内に収集されている湿式静電集塵装置。
【請求項１０】
請求項２〜８のいずれか一項に記載の湿式静電集塵装置において、前記ケーシング（１０９）が、少なくとも、前記ノズル（１２４）の前記組（１２２）から液体を受けるように作用する第１のホッパ（１４８）と、前記第１のホッパ（１４８）から分離され且つ液体分配器（１４２）の前記組（１４０）から液体を受けるように作用する第２のホッパ（１５０）とを包含する湿式静電集塵装置。
【請求項１１】
請求項１０記載の湿式静電集塵装置において、前記第２のホッパ（１５０）内に収集される液体の少なくとも一部が前記ノズル（１２４）の前記組（１２２）へ送られる湿式静電集塵装置。
【請求項１２】
請求項２〜１１のいずれか一項に記載の湿式静電集塵装置において、前記第１の領域（１１０）と前記第２の領域（１１２）との間に少なくとも１つの中間領域（１１１）が位置する湿式静電集塵装置。
【請求項１３】
請求項１２記載の湿式静電集塵装置において、前記少なくとも１つの中間領域（１１１）には、前記中間領域（１１１）の集塵電極（１１９）へ向けて液体を噴射するように作動するノズル（１２４）が設けられている湿式静電集塵装置。
【請求項１４】
汚染物質を含むガス（４；１０４；２０４）を受けるための入口（２；１０２；２０２）と、前記汚染物質の少なくとも一部が除去されたガス（８；１０８；２０８）を排出するための出口（６；１０６；２０６）とを有する湿式静電集塵装置（１；１００；２００）の少なくとも１つの集塵電極（１８；１１８；２１８）を洗浄する方法において
前記入口（２；１０２；２０２）から、少なくとも１つの放電電極（１６，３４）および前記少なくとも１つの集塵電極（１８；１１８；２１８）を経て、前記出口（６；１０６；２０６）へと略水平にガス（４；１０４；２０４）を送り、
前記少なくとも１つの集塵電極（１８；１１８；２１８）の少なくとも１つの第１の垂直集塵面（３０；１３０；２３０）上に液体を噴射し、
少なくとも１つの第２の垂直集塵面（４４；１４４；２４４）上に液体を注ぎ、前記少なくとも１つの第２の垂直集塵面（４４；１４４；２４４）が前記少なくとも１つの第１の垂直集塵面（２３０）の下流側の前記少なくとも１つの集塵電極（２１８）および少なくとも１つの更なる集塵電極（３６；１３６）のうちの一方に少なくとも位置し、前記少なくとも１つの更なる集塵電極（３６；１３６）がガスの流れ方向に関して見て前記少なくとも１つの集塵電極（１８；１１８，１１９）の下流側に位置する、
ことを特徴とする方法。
【発明の詳細な説明】
【技術分野】
【０００１】
本発明は、汚染物質を含むガスを受けるための入口と、前記汚染物質の少なくとも一部が除去された前記ガスを排出するための出口と、前記ガスが前記入口から前記出口へと略水平に流通するケーシングと、少なくとも１つの放電電極と、少なくとも１つの集塵電極とを包含する湿式静電集塵装置に関する。
【０００２】
また、本発明は、汚染物質を含むガスを受けるための入口と、前記汚染物質の少なくとも一部が除去された前記ガスを排出するための出口とを有する湿式静電集塵装置の少なくとも１つの集塵電極を洗浄する方法に関する。
【背景技術】
【０００３】
石炭、油、産業廃棄物、家庭廃棄物、泥炭などの燃焼は、塵埃粒子や三酸化硫黄（ＳＯ３）などの汚染物質を含む場合がある燃焼排ガスを生み出す。塵埃粒子および三酸化硫黄などの汚染物質は、化学プロセス、例えば冶金プロセスにおいて形成されるガス中に残留生成物として生成される可能性もある。ガスから塵埃粒子を除去するためには、静電集塵装置を使用するのが一般的である。静電集塵装置では、放電電極によって塵埃粒子が帯電される。帯電された塵埃粒子は、その後、集塵電極プレート上に収集される。塵埃粒子、および、集塵電極プレート上に収集された任意の他の汚染物質は、その後、集塵電極プレートから除去されて、更なる処理のために搬送される。非常に細かい塵埃粒子及び／又は例えば三酸化硫黄のエアロゾルがガスから除去されるべきプロセスを含む一部のプロセスにおいては、多くの場合、湿式静電集塵装置が使用される。湿式静電集塵装置では、多くの場合に水である液体の形態を成す膜が、集塵電極プレートに沿って連続的に或いは特定の間隔で流され、これにより、塵埃粒子および任意の他の汚染物質が集塵電極プレートから除去されることで集塵電極プレートが洗浄される。集塵電極プレートを洗浄するための液体の使用は、“乾式”静電集塵装置で生じる収集汚染物質の再混入に比べて、収集された汚染物質の再混入が制限されるという利点を有する。
【０００４】
中央電力株式会社等により出願された特開平６―０３１２０２号公報は、放電電極と集塵電極とを有する静電集塵装置の記述を含んでいる。この公報に記載されているように、集塵電極は水供給ノズルによって洗浄される。これらの水供給ノズルは、収集された塵埃粒子を集塵電極から除去することによって集塵電極が洗浄されるように、集塵電極へ向けて水を噴射する。前述した特開平６―０３１２０２号公報に記載される静電集塵装置に伴う問題は、これらの水供給ノズルが小さな水滴及び／又はエアロゾルを形成し、これらが静電集塵装置を通じて流れるガスと同伴されるということである。このような水滴及び／又はエアロゾルは、静電集塵装置の下流側に位置するスタック、ファン、再加熱器などの機器で腐食問題を引き起こす可能性がある。また、このような水滴及び／又はエアロゾルは、このような同伴された水滴及び／又はエアロゾルが液体以外に塵埃粒子および溶解した化学物質を含む場合もあるという事実に起因して、塵埃粒子の放出を更に引き起こす場合がある。
【発明の概要】
【０００５】
本発明の目的は、ガスを洗浄するのに有用な湿式静電集塵装置であって、このようなガスが前記湿式静電集塵装置内での洗浄に晒された後に前記湿式静電集塵装置から出るガスと同伴される液滴及び／又はエアロゾルの量を減らすための手段が設けられている湿式静電集塵装置を提供することにある。
【０００６】
この目的は、汚染物質を含むガスを受けるための入口と、前記汚染物質の少なくとも一部が除去された前記ガスを排出するための出口と、前記ガスが前記入口から前記出口へと略水平に流通するケーシングと、少なくとも１つの放電電極と、少なくとも１つの集塵電極とを包含する湿式静電集塵装置であって、更に、前記少なくとも１つの集塵電極の少なくとも１つの第１の垂直集塵面上に液体を噴射するように作動するノズルの組と、少なくとも１つの第２の垂直集塵面上に液体を注ぐように作動する少なくとも１つの液体分配器であり、前記少なくとも１つの第２の垂直集塵面が、前記少なくとも１つの第１の垂直集塵面の下流側の前記少なくとも１つの集塵電極上に位置され、あるいは、ガスの流れ方向に関して見て前記少なくとも１つの集塵電極の下流側に位置する少なくとも１つの更なる集塵電極上に位置する、少なくとも１つの液体分配器とを包含し、前記ノズルの組がガスの流れ方向に関して見て前記少なくとも１つの液体分配器の上流側に位置することを特徴とする湿式静電集塵装置、によって達成される。
【０００７】
本発明の利点は、前記少なくとも１つの第１の垂直集塵面上に液体を噴射するように作動する前記ノズルの組が、前記湿式静電集塵装置の上流領域に位置する前記少なくとも１つの第１の垂直集塵面を洗浄するのに非常に効率的であるという点である。前記少なくとも１つの第１の垂直集塵面を洗浄するために行なわれる前記ノズルの組からの液体の噴射の副次的効果は、液滴の形成である。前記少なくとも１つの第１の垂直集塵面に対する液体の噴射によって前記湿式静電集塵装置の上流領域に形成されるこれらの液滴は、前記湿式静電集塵装置の下流領域に位置する前記少なくとも１つの第２の垂直集塵面上に収集される。したがって、前記少なくとも１つの第２の垂直集塵面は、このような液滴のための収集体としての役目を果たす。前記湿式静電集塵装置の下流領域に位置する前記少なくとも１つの第２の垂直集塵面の洗浄は、前記少なくとも１つの液体分配器を用いて前記少なくとも１つの第２の垂直集塵面上に液体を注ぐことにより達成される。前記少なくとも１つの液体分配器によって行なわれるこのような液体の注ぎは、前記湿式静電集塵装置の下流領域で液滴が形成されず、したがって、前記湿式静電集塵装置から出る液滴の量が非常に少ないという利点を有する。従来技術に記載されたことにしたがって、通常、湿式静電集塵装置から出ている液滴の量を減少させるため、湿式静電集塵装置の後に別個のミストエリミネータを装着する必要がある。しかしながら、このようなミストエリミネータを使用した場合であっても、このようなミストエリミネータに液滴を過剰に取り込む危険を回避するため、垂直集塵面を洗浄するための液体の噴射は、限られた量の液体を用いて達成されなければならない。これとは異なり、本発明が使用される場合には、殆どのケースで、湿式静電集塵装置の後で別個のミストエリミネータを利用する必要がない。また、湿式静電集塵装置の下流領域の前記少なくとも１つの第２の垂直集塵面の洗浄は、本発明によれば、多量の液体の使用によって達成できる。前記少なくとも１つの第２の垂直集塵面を洗浄するためにこのような多量の液体が使用される結果として、腐食の危険が減少され、これにより、ある場合には、従来技術の教示内容に従うときに可能なものと比べて安価な材料から集塵電極を製造することができる。
【０００８】
本発明の好ましい実施形態によれば、前記湿式静電集塵装置は、更に、少なくとも第１の領域および第２の領域を包含し、前記第１の領域が放電電極と集塵電極とから成る第１の組を包含し、前記第２の領域が放電電極と集塵電極とから成る第２の組を包含し、前記ノズルの前記組が集塵電極から成る前記第１の組の集塵電極の第１の垂直集塵面上に液体を噴射するように作動し、更に、集塵電極から成る前記第２の組の集塵電極の第２の垂直集塵面上に液体を注ぐために液体分配器の組が設けられ、前記第２の領域は、汚染物質の少なくとも一部が除去されるべきガスの流れ方向に関して見て前記第１の領域の下流側に位置するとともに、前記ノズルの前記組によって形成される液滴を収集するようになっている。本発明のこの実施形態の利点は、湿式静電集塵装置の前記第１の領域を電圧等に関して制御することができ、これにより、塵埃粒子及び／又はエアロゾルの収集に関与する限りにおいて高い効率が達成され、一方、第２の領域を電圧等に関して制御することができ、これにより、前記第１の領域の前記ノズルの前記組からの液体の噴射によって形成される液滴の収集に関する限りにおいて高い効率が達成される、という事実に起因して、このような湿式静電集塵装置の集塵効率を効率的に制御できるという点である。
【０００９】
好ましくは、このような湿式静電集塵装置の前記第２の領域は、前記湿式静電集塵装置の最後の領域を構成し、したがって、前記湿式静電集塵装置の出口に隣接して位置する。このような湿式静電集塵装置の集塵電極の洗浄が液体分配器の前記組からの液体の注ぎによって達成される前記第２の領域を、前記湿式静電集塵装置に関する限りにおいて最後の領域位置に配置することによって、前記第２の領域がいわゆる“ガード領域”として機能し、これにより、前記湿式静電集塵装置から出る塵埃粒子、液滴、及び／又はエアロゾルの量が十分低いレベルに維持されるようになる。
【００１０】
本発明の好ましい実施形態によれば、前記少なくとも１つの液体分配器が少なくとも１つのチューブを包含し、前記少なくとも１つのチューブのそれぞれは、集塵電極プレートに沿って延びるとともに、少なくとも１つの開口を包含し、前記開口を通じて液体が前記少なくとも１つのチューブから前記集塵電極プレートの第２の垂直集塵面へと流れることができる。このような少なくとも１つの液体分配器の利点は、このような少なくとも１つの液体分配器が、洗浄されるべき前記第２の垂直集塵面の全長にわたって液体を広げる際に効率的であり、その結果として液滴が形成されないという点である。更に好ましくは、前記開口から流れる液体が４ｍ／ｓ未満の速度を有する。この速度は、十分に低いことから、このような液滴の形成を十分低いレベルに維持することが分かっている。
【００１１】
前記少なくとも１つの液体分配器へ供給される液体の少なくとも５０％が、新鮮な補給液体であることが好ましい。本発明のこの実施形態から得られる利点は、ガスによって同伴される前記少なくとも１つの液体分配器からの任意の液体が非常に低い量の汚染物質を含み、したがって、このようなガスと共に運ばれる任意の液体により、このような湿式静電集塵装置から発せられる塵埃粒子に対する寄与度が非常に制限されるという点である。しかしながら、前記少なくとも１つの液体分配器へ供給される液体のほぼ全てが新鮮な補給液体であることが依然として更に好ましい。
【００１２】
このような湿式静電集塵装置へ供給される新鮮な補給液体の５０％を超える量が、前記少なくとも１つの液体分配器へ供給されることが好ましい。これから得られるべき利点は、前記少なくとも１つの液体分配器へ供給される最も清浄な液体が最も純粋なガス、すなわち、前記湿式静電集塵装置の上流領域でかなりの度合いまで既に洗浄されたガスと接触するために、液体およびガスが互いに向流関係を持つという点である。この結果、ガスと同伴される任意の液体が少量の汚染物質しか含まないという事実に起因して、前記湿式静電集塵装置からの塵埃粒子の放出が減少される。
【００１３】
本発明の１つの好ましい実施形態によれば、前記ノズルの前記組へ供給された液体および前記少なくとも１つの液体分配器へ供給された液体がいずれも共通のタンク内に収集される。こうすることによって得られる利点は、殆どの場合において新鮮な補給液体である前記少なくとも１つの液体分配器へ供給される液体が、前記ノズルの前記組へ供給される液体中に捕捉される汚染物質の希釈を行ない、これにより、前記共通のタンクに収集される液体がノズルの前記組への供給に適するようになるという点である。
【００１４】
本発明の他の好ましい実施形態によれば、湿式静電集塵装置は、前記ノズルの前記組から液体を受けるようになっている第１のホッパと、前記第１のホッパから分離され且つ液体分配器の前記組から液体を受けるようになっている第２のホッパとを少なくとも包含するケーシングを包含する。本発明のこの実施形態によれば、液体を互いに離間した状態に維持することができる。これは、例えば前記液体分配器の前記組へ供給され且つ前記第２のホッパ内に収集された液体が通常は少なくとも部分的に元の前記液体分配器の前記組へと再循環されるようになっている場合に有益である。しかしながら、前記第２のホッパ内に収集される液体の少なくとも一部が前記ノズルの前記組へ送られることが依然として更に好ましい。
【００１５】
本発明の１つの好ましい実施形態によれば、湿式静電集塵装置は、好ましくは、前記第１の領域と前記第２の領域との間に位置することが好ましい少なくとも１つの中間領域を包含している。このような中間領域の使用は、塵埃粒子及び／又はエアロゾルの収集に関する限りにおいて効率に関して更に向上された効率の実現を可能にする。更に好ましくは、前記少なくとも１つの中間領域には、前記中間領域の集塵電極へ向けて液体を噴射するように作動するノズルが設けられる。このような噴射は、中間領域の集塵電極の効率的な洗浄を行なうように作用し、また、前記第２の領域がミストエリミネータとして機能するという事実に起因して、前記湿式静電集塵装置からの液滴の放出が増大しない。
【００１６】
本発明の他の目的は、湿式静電集塵装置の少なくとも１つの集塵電極を洗浄する方法であって、前記湿式静電集塵装置から出るガスと同伴される液滴及び／又はエアロゾルの量が減少されるように前記洗浄が行なわれる方法を提供することにある。
【００１７】
この目的は、汚染物質を含むガスを受けるための入口と、前記汚染物質の少なくとも一部が除去された前記ガスを排出するための出口とを有する湿式静電集塵装置の少なくとも１つの集塵電極を洗浄する方法であって、前記ガスが、前記湿式静電集塵装置の前記入口から、少なくとも１つの放電電極および前記少なくとも１つの集塵電極を経て、前記湿式静電集塵装置の前記出口へと略水平に流れ、前記少なくとも１つの集塵電極の少なくとも１つの第１の垂直集塵面上に液体が噴射され、液体が少なくとも１つの第２の垂直集塵面上に注がれ、前記少なくとも１つの第２の垂直集塵面が、前記少なくとも１つの第１の垂直集塵面の下流側の前記少なくとも１つの集塵電極上に位置し、あるいは、前記湿式静電集塵装置を通じたガスの流れ方向に関して見て前記少なくとも１つの集塵電極の下流側に位置する少なくとも１つの更なる集塵電極上に位置することを特徴とする方法を使用することによって達成される。
【００１８】
本発明に係るこの方法の利点は、前記少なくとも１つの第１の垂直集塵面上への液体の噴射によって形成される液滴が、前記少なくとも１つの第１の垂直集塵面の下流側に位置する前記少なくとも１つの第２の垂直集塵面上に収集されるという点である。したがって、前記少なくとも１つの第２の垂直集塵面がミストエリミネータとして機能し、これにより、前記少なくとも１つの第２の垂直集塵面は、前記湿式静電集塵装置を通じたガスの流れ方向に関して前記少なくとも１つの第２の垂直集塵面の上流側に位置する前記少なくとも１つの第１の垂直集塵面の洗浄中に形成される液滴を収集するように作用する。前記少なくとも１つの第２の垂直集塵面上に液体を注ぐことによって前記少なくとも１つの第２の垂直集塵面が洗浄されるため、前記少なくとも１つの第２の垂直集塵面の洗浄中に液滴が形成されることは全く無い或いは殆ど無い。したがって、前記湿式静電集塵装置から出るガスは、このような液滴を全く含まず或いはせいぜいごく僅かな液滴しか含まない。このように、本発明に係るこの方法は、多量の液滴が形成されることなく、したがって、多量の液滴が湿式静電集塵装置からガスと共に出ることなく、前記少なくとも１つの第１の垂直集塵面の効率的な洗浄を行なう。
【００１９】
本発明の更なる目的および特徴は、以下の説明および特許請求の範囲の記載から明らかになるであろう。
【図面の簡単な説明】
【００２０】
【図１】側方から見た、本発明の第１の実施形態に係る湿式静電集塵装置を示す断面図である。
【図２】上側から見た図１の湿式静電集塵装置を示す平面図である。
【図３】図１のＩＩＩ−ＩＩＩ線に沿う液体分配器を示す拡大断面図である。
【図４】他の構造を具現化する液体分配器を示す拡大断面図である。
【図５】側方から見た、本発明の第２の実施形態に係る湿式静電集塵装置を示す断面図である。
【図６】側方から見た、本発明の第３の実施形態に係る湿式静電集塵装置を示す断面図である。
【発明を実施するための形態】
【００２１】
以下、添付図面を参照して、本発明について更に詳しく説明する。
【００２２】
“液体を噴射する”とは、この用語が本明細書で使用される場合、ノズルを通じて液体が流れるようにすることを意味しており、前記ノズルは、液滴が形成されるように液体流を霧化するべく作用する。本発明によれば、“液体を噴射する”とは、重量ベースでの前記液体の少なくとも９０％が１．５ｍｍ未満の直径を有する液滴を生成するように液体流が霧化に晒されることとして定義される。一般に、液体の所望の霧化を得るためには、ノズルにわたって少なくとも０．５ｂａｒの圧力差が必要とされる。このような霧化によって生成される液滴は、一般に、８ｍ／ｓ以上の平均初速度を有する。
【００２３】
“液体を注ぐ”とは、この用語が本明細書で使用される場合、液体が開口を通じて流れるようにし、これにより、前記開口を通じた液体の通過後の液体の流れがほぼ連続的なジェットまたは膜の形態を成すようにすることを意味している。本発明によれば、“液体を注ぐ”とは、重量ベースでの前記液体流の１０％未満が１．５ｍｍ未満の直径の液滴を生成するように液体の流れが開口に通され、したがって、液体流の主要部が前記開口から出るときにジェットまたは膜を生成することとして規定される。前記開口にわたる圧力差は好ましくは０．３ｂａｒ未満にすべきであり、これにより、前記開口を通過する液体の霧化が回避される。このように形成される膜またはジェットは、４ｍ／ｓ以下の平均初速度を有することが好ましい。より好ましくは、このような膜またはジェットは２ｍ／ｓ未満の平均初速度を有する。
【００２４】
図１は、湿式静電集塵装置１の、その側方から断面図で見た概略図である。図２は、図１に示されるものと同じ湿式静電集塵装置１を示しているが、上側から見ており、より明確に示す目的で湿式静電集塵装置１の上部が除去されている。湿式静電集塵装置１は、塵埃粒子及び／又はエアロゾルを含む燃焼排ガス４を内部に受けるための入口２と、塵埃粒子及び／又はエアロゾルが少なくとも部分的に除去された燃焼排ガス８を外部へ排出するための出口６とを有している。燃焼排ガス４は、例えば、図示しないボイラ内での石炭の燃焼によって発生しても良い。湿式静電集塵装置１は、第１の領域１０および第２の領域１２が設けられるケーシング９を具備している。第２の領域１２は、湿式静電集塵装置１を通じた燃焼排ガス４の流れ方向に関して見て第１の領域１０の下流側に位置されている。第１の領域１０は、放電電極１６と集塵電極とから成る第１の組１４を備えており、集塵電極は集塵電極プレート１８の形態で設けられる。放電電極１６および集塵電極プレート１８は、従来技術において既に知られる態様と同様の態様で配置されており、これに関しては例えば、限定的ではなく単なる例示として、前記特開平６―０３１２０２号公報を参照されたい。第１の領域１０には、放電電極１６および集塵電極プレート１８に対して接続され且つ放電電極１６と集塵電極プレート１８との間に電圧を印加するように作用する整流器２０の形態を成す独立の電源が設けられている。放電電極１６および集塵電極プレート１８へ向けて液体を噴射するためのノズル２４の組２２が設けられており、前記液体は多くの場合に水である。このノズル２４の組２２は、図２に最も良く示される一群の上側ノズルランス２６と、一群の入口ノズルランス２８とから成る。このノズル２４の組２２は、集塵電極プレート１８上に液体を噴射し、これにより、集塵電極プレート１８上に収集された塵埃粒子、エアロゾルなどを洗い流す目的で設けられる。このノズル２４の組２２は、集塵電極プレート１８上に液体を連続的に噴射するように作動させることができ、または、特定の洗浄サイクルにしたがって集塵電極プレート１８上に液体を噴射するように、例えば１時間当たり４つの機会にわたって集塵電極プレート１８上に液体を噴射するように作動させることができる。このような機会のそれぞれは１−５分間にわたって持続する。湿式静電集塵装置１の集塵電極プレート１８上に収集される塵埃粒子及び／又はエアロゾルのタイプおよび量は、連続噴射が使用されるべきか或いはサイクル噴射が使用されるべきかどうかを決定する。収集されるべき汚染物質が腐食性のものである場合、例えば汚染物質が三酸化硫黄すなわちＳＯ３のエアロゾルである場合には、通常、第１の領域１０で連続噴射を使用することにより起こりうる腐食問題を回避することが好ましい。
【００２５】
一群の上側ノズルランス２６は、本発明によれば、図１および図２を参照して最も良く理解されるように、垂直面に対して約０−８０°の角度で下方へ向けて且つ集塵電極プレート１８へ向けて液体を噴射するように配置されることが好ましい。ノズル２４は、どのタイプの湿式静電集塵装置１が使用されるのかに応じて異なるタイプのものであっても良い。この目的のために利用されても良いノズルの１つの例は、中空円錐ノズルである９３６０―３／８ＬＡＰ−ＰＰ２５−１０として知られるノズルである。更なる例は、完全円錐ノズルであるＧＡＮＶ ３／８  １５である。両方のノズルは、米国のイリノイ州のホイートンにあるＳｐｒａｙｉｎｇ  Ｓｙｓｔｅｍｓ  Ｃｏ．から入手することができ、１．５ｂａｒ（ｏ）で約１０ｌ／分の水流を生成する。“ｂａｒ（ｏ）”とは、この用語が本明細書で使用される場合、周囲圧力を上回る圧力、すなわち、一般に“過圧”と呼ばれるものを意味している。１ｂａｒの周囲圧力において、１．５ｂａｒ（ｏ）の過圧は、２．５ｂａｒ（ａ）の絶対圧（ｂａｒ（ａ））、すなわち、真空に対する圧力を表わす。使用されても良いノズルタイプの特定の選択が異なる可能性があり、したがって、本発明の本質から逸脱することなく多くの異なるタイプのノズルを使用できることは言うまでもない。ノズル２４は、本発明によれば、少なくとも０．５ｂａｒ（ｏ）の液圧で作動し、これにより、液滴の効率的な形成を引き起こすとともに、集塵電極プレート１８の第１の垂直集塵面３０上にわたって液滴の望ましい分配を行なうことが好ましい。非常に高い液圧を使用すると、結果として電力消費量が増大する。ノズル２４は、本発明によれば、０．５−３ｂａｒ（ｏ）の液圧範囲で作動することが好ましい。ケーシング９内に存在する圧力は大気圧にほぼ等しい。すなわち、通常は、ケーシング９内の圧力は、大気圧を１０ｋＰａ下回る圧力から大気圧を１０ｋＰａ上回る圧力までの範囲にある。したがって、液体がノズル２４から出るときに晒される圧力差は０．５−３ｂａｒの範囲内である。したがって、ノズル２４から出る液滴は一般に少なくとも８ｍ／ｓの平均速度を有する。ノズル２４は、本発明によれば、放電電極１６の更に何らかの洗浄も行なうように作動するべく配置されることが好ましい。ノズル２４は、各集塵電極プレート１８の第１の垂直集塵面３０全体の効率的な湿潤を実現するように配置される。さもなければ、任意の集塵電極プレート１８の第１の垂直集塵面３０上の任意の“ドライスポット”が、腐食の発生をもたらす場合があり、及び／又は、収集された塵埃の凝集体の形成をもたらす場合がある。ノズル２４の数、ノズル２４のタイプ、および、ノズル２４の液圧は、全て、前述したことをノズルから実現できるように選択される。ノズル２４のタイプおよびノズル２４の液圧はそれぞれ、重量ベースでの平均液滴サイズが１ｍｍ未満となる液滴サイズ範囲を生み出すように選択されることが好ましい。好ましくは、本発明によれば、形成される液滴の重量ベースでの少なくとも９０％が１．５ｍｍ未満の液滴サイズを有する。
【００２６】
第２の領域１２は、放電電極３４と、好ましくは集塵電極プレート３６から成る集塵電極との第２の組３２を備えている。第２の領域１２の放電電極３４および集塵電極３６はいずれも、第１の領域１０に関連して前述した態様と同様の態様で配置される。第２の領域１２は、図１において見ることができる整流器３８の形態を成す独立の電源を含んでいる。整流器３８は、放電電極３４および集塵電極プレート３６に対して接続されており、放電電極３４と集塵電極プレート３６との間に電圧を印加するように作用する。集塵電極プレート３６の第２の垂直集塵面４４に沿って液体を注ぐために液体分配器４２の組４０が設けられる。前記液体は多くの場合には水である。液体分配器４２は複数のチューブ４２を備えており、各チューブは、集塵電極プレート３６のうちの対応する１つの上縁４６に沿って延びている。図２において、集塵電極プレート３６は、液体分配器４２のその中での存在によって視界から隠される。液体分配器４２の組４０は、集塵電極プレート３６の第２の垂直集塵面４４上に収集された塵埃粒子やエアロゾルなどを洗い流すことができるようにするために設けられる。
【００２７】
湿式静電集塵装置１が作動中のとき、整流器２０は、その第１の組１４の放電電極１６と集塵電極プレート１８との間に電圧を印加し、また、整流器３８は、その第２の組３２の放電電極３４と集塵電極プレート３６との間に電圧を印加する。図１および図２を参照して最も良く理解されるように、燃焼排ガス４は入口２を介してケーシング９に入る。したがって、燃焼排ガス４は最初に領域１０に達する。このため、燃焼排ガス４中に混入される塵埃粒子及び／又はエアロゾルが放電電極１６によって帯電されるようになり、また、これらの塵埃粒子及び／又はエアロゾルは、その後、集塵電極プレート１８に引き付けられ、集塵電極プレート１８の表面上に塵埃粒子及び／又はエアロゾルが収集される。ノズル２４の組２２によって噴射される液体は、集塵電極プレート１８の第１の垂直集塵面３０に沿って流れ、したがって、収集された塵埃粒子及び／又はエアロゾルを第１の垂直集塵面３０から洗浄するように作用する液体膜を生成する。このような塵埃粒子及び／又はエアロゾルおよびこのような液体は、図１に示されるように放電電極１６および集塵電極プレート１８の第１の組１４の下側に位置する第１のホッパ４８内に収集される。
【００２８】
ノズル２４からの噴射の結果として形成される液滴は、燃焼排ガス４が第１の領域１０から第２の領域１２へ流れるときに、ある程度まで燃焼排ガス４に追従する。第２の領域１２では、第２の組３２の放電電極３４が、第１の領域１０から流れてくるこれらの液滴を帯電させる。これらの液滴は、その後、第２の組３２の集塵電極プレート３６上に収集される。第１の領域１０で収集されずに第２の領域１２へ流される比較的少量の塵埃粒子及び／又はエアロゾルも、放電電極３４によって帯電され、集塵電極プレート３６上に収集される。集塵電極プレート３６の第２の垂直集塵面４４に沿って液体分配器４２により注がれる液体は、集塵電極プレート３６の洗浄を行なうように作用する。収集される液滴、並びに、注ぎ液体および塵埃粒子及び／又はエアロゾルは、全て、第２のホッパ５０内に収集される。
【００２９】
本発明に係る第１の領域１０は、塵埃粒子及び／又はエアロゾルの主要収集体として機能する。一般に、湿式静電集塵装置１で収集される塵埃粒子及び／又はエアロゾルの総量の約７０％を越える量が第１の領域１０で収集される。第１の領域１０内の塵埃粒子の濃度が第２の領域１２に存在する塵埃に比べて高いという事実に起因して、第１の領域１０の集塵電極プレート１８が非常に効率的に洗浄されることが必要な要件である。これは、ノズル２４の組２２の使用によって達成できる。また、ノズル２４は、放電電極１６の何らかの洗浄を行なうように作動するべく構成されることが好ましい。本発明に係る第２の領域１２はミストエリミネータとして機能する。このことは、第１の領域１０から第２の領域１２へ流れる燃焼排ガス４中に混入される液滴を第２の領域１２が収集するという事実を意味する。液体分配器４２が集塵電極プレート３６上に液体を注ぐ結果として、第２の領域１２で形成される液滴はほぼ無くなる。したがって、湿式静電集塵装置１から排出される燃焼排ガス８中に混入される液滴は殆ど無い。本発明に係る第２の領域１２は、ミストエリミネータとして機能することに加えて、燃焼排ガス４が第１の領域１０を通過した後に燃焼排ガス４中に依然として混入されたまま残る塵埃粒子及び／又はエアロゾルの大部分を除去する機能も果たす。したがって、第２の領域１２は、液滴を除去する機能と燃焼排ガス４からの塵埃粒子及び／又はエアロゾルを洗浄する機能との二重機能を果たす。第２の領域１２内の塵埃粒子の濃度が第１の領域１０に存在する塵埃に比べて低いという事実に起因して、一般に、第２の垂直集塵面４４の効率的な洗浄に関する限りにおいて、第１の垂直集塵面３０の場合よりも低いことが必要である。また、多くの場合、第２の組３２の放電電極３４を洗浄する必要はない。したがって、通常は、液体を第２の垂直集塵面４４上に単純に注ぐことによって第２の垂直集塵面４４の洗浄を行なえば十分である。第２の領域１２の放電電極３４の更なる洗浄の必要性が生じる場合には、この必要性は、集塵電極プレート３６の洗浄を行なうために使用される前述した液体分配器４２の構造に類似する構造を具備する液体分配器を放電電極３４に設けることによって扱うことができる。
【００３０】
図１を参照して最も良く分かるように、ホッパ４８，５０内に収集される液体、塵埃粒子、及び／又は、エアロゾルは、パイプ５２，５４をそれぞれ介して、タンク５６へと送られる。液体をタンク５６からパイプ６０を介してノズル２４の組２２へと圧送するためにポンプ５８が使用される。このような液体中に、液体中における収集された塵埃粒子及び／又はエアロゾルの形態を成して極度に高い濃度の汚染物質が存在するのを避けるため、このような液体の一部がパイプ６０を介してタンク５６から除去される。このようにして除去される液体は、図示しない液体処理プラントへと移動され、あるいは、こうすることが望ましい場合には、本発明の本質から逸脱することなく、例えば湿式スクラバなどの上流側のガス洗浄装置で利用されても良い。本発明によれば、新鮮な補給液体がパイプ６４を介して液体分配器４２の組４０へ供給されることが好ましい。液体分配器４２へのこのような補給液体の流れを制御するためにバルブ６６が使用される。図１に示されるように、本発明によれば、新鮮な補給液体の全てが液体分配器４２へ供給されることが好ましく、一方、ノズル２４の組２２には、タンク５６から再循環される液体が供給される。これを行なう利点は、偶然に何らかの液滴が第２の領域１２で形成される場合に、このような液滴がほぼ純粋な液体、例えば水から成り、したがって、そのような液滴が湿式静電集塵装置１からの塵埃粒子の放出に寄与しないという点である。すなわち、ノズル２４へ供給される再循環される“汚い”液体は、特定量の汚染物質を含む液滴を形成するように作用するが、既に述べたように、このような液滴は第２の領域１２で収集される。
【００３１】
図３には、集塵電極プレート３６の上側に位置され且つ集塵電極プレート３６の上縁４６に沿って延びる液体分配器４２が更に詳しく示されている。図３を参照して最も良く理解されるように、液体分配器４２は、チューブ４２の形状を成すとともに、スリットの形態を成し且つチューブ４２の下部に位置する開口６８を備えている。開口６８は分配手段７０によって覆われている。分配手段７０は多孔質焼結材料から形成される。一般に新鮮な補給水７２の形態を成す液体が、図１および図２の両方に示されるパイプ６４によって液体分配器４２へ供給される。液体７２は、分配手段７０に浸透し、集塵電極プレート３６の両側に液体膜７４を形成するように作用する。図３に示されるように、液体膜７４は、矢印Ａによって示されるように集塵電極プレート３６の第２の垂直集塵面４４に沿って下方へ流れ、こうすることで、第２の垂直集塵面４４上に収集された任意の塵埃粒子及び／又はエアロゾルを洗浄するように作用する。液体膜７４が連続的な膜を構成するという事実に起因して、収集される塵埃粒子及び／又はエアロゾルの大部分が液体膜７４によって直接に捕捉される。液体７２は、分配手段７０を浸透するために必要な程度まで且つ均一な流量分布を生じさせるために必要な程度まで加圧されるに過ぎない。すなわち、各膜７４は、それぞれの第２の垂直集塵面４４の水平の長さにわたって略均一な厚さを有していなければならない。ある場合には、液体分配器４２内の液体７２の重量によって液体７２が分配手段７０に浸透されても良い。他の場合には、液体７２を分配手段７０に浸透させるために僅かな圧力を印加しなければならない場合がある。いずれにしても、液体７２は、第２の垂直集塵面４４上に注がれ、第２の垂直集塵面４４上に噴射されない。したがって、その結果として、液滴が形成されることは全く無く、あるいは、殆ど無い。
【００３２】
第２の領域１２内での液滴の形成を回避するため、本発明においては、液体分配器４２の内部と湿式静電集塵装置１内の燃焼排ガス４との間の圧力差が約０．３ｂａｒ未満であることが好ましい。湿式静電集塵装置１内に存在する絶対圧が大気圧にほぼ等しいという事実に起因して、本発明においては、液体分配器４２内の液圧が０．３ｂａｒ（ｏ）未満であることが好ましい。したがって、液体７２が液体分配器４２から出るときに晒される圧力差は０−０．３ｂａｒであることが好ましく、また、液体７２の液体分配器４２から出るときの速度は、４ｍ／ｓ未満であることが好ましく、より具体的には、液滴の形成を回避するために２ｍ／ｓ未満であることが好ましい。一般に、液体７２の液体分配器４２から出るときの速度は、０．１〜０．５ｍ／ｓの範囲である。
【００３３】
図４は、本発明の他の実施形態にしたがって構成される液体分配器１４２が描かれた断面図である。図４に示されるように、液体分配器１４２は第１のチューブ１４３と第２のチューブ１４５とを具備しており、チューブ１４３，１４５は集塵電極プレート３６の両側に位置されている。各チューブ１４３，１４５には、円形穴の形態を成す複数の開口１６８が設けられており、開口１６８は、チューブ１４３，１４５のうちの対応する一方の長さに沿って分布される。開口１６８は、チューブ１４３の側部１４７およびチューブ１４５の側部１４９にそれぞれ設けられる。これらのそれぞれの側部１４７，１４９は、集塵電極プレート３６に隣接して位置する。好ましくは新鮮な補給水１７２の形態を成す液体が、図示しない供給源から各チューブ１４３，１４５へ供給されるとともに、溢れる結果として、各チューブ１４３，１４５から開口１６８を介してジェット１３９，１４１の形態で放出される。本発明によれば、ジェット１３９，１４１の流れは、低い液体速度であり、すなわち、好ましくは約１ｍ／ｓ未満の速度である。したがって、液体１７２は、集塵電極プレート３６の第２の垂直集塵面４４上に注がれるとともに、図４に矢印Ａによって示されるように第２の垂直集塵面４４に沿って垂直下方へ流れる液体膜１７４を形成するように作用する。液体１７２が各チューブ１４３，１４５から開口１６８を介して集塵電極プレート３６へと溢れるときに基本的に圧力が関与しないという事実に起因して、結果として、液滴の形成は全く無く或いは殆ど無い。
【００３４】
図５は、本発明の第２の実施形態にしたがって構成される湿式静電集塵装置１００の概略図である。湿式静電集塵装置１００は、塵埃粒子及び／又はエアロゾルが混入される燃焼排ガス１０４を受けるための入口１０２と、燃焼排ガス１０４中に混入された塵埃粒子及び／又はエアロゾルの大部分が除去された燃焼排ガス１０８を外部に排出するための出口１０６と、ケーシング１０９とを包含している。湿式静電集塵装置１００は、更に、入口１０２に隣接して位置する第１の領域１１０と、出口１０６に隣接して位置する第２の領域１１２とを包含している。本発明のこの第２の実施形態によれば、第１の領域１１０と第２の領域１１２との間に中間領域１１１が位置することが好ましい。この場合、第２の領域１１２が既に言及された湿式静電集塵装置１００の最後の領域を構成する。各領域１１０，１１１，１１２には、放電電極と集塵電極プレートとから成る組と、整流器とが設けられている。放電電極と集塵電極プレートとから成る組、および、整流器は、図１に示される対応する構成要素の構造に類似する構造を成しており、したがって、図面の例示の明確さを維持するために図５には詳しく示されていない。第１の領域１１０は集塵電極プレートを包含しており、そのうちの１つの集塵電極プレート１１８が図５に示されている。各集塵電極プレートは第１の垂直集塵面を有しており、そのうちの第１の垂直集塵面１３０が図５に示されている。同様の態様で、中間領域１１１は集塵電極プレート１１９を包含しており、各集塵電極プレートが中間垂直集塵面１３１を有している。また、第２の領域１１２は集塵電極プレート１３６を有しており、各集塵電極プレートが第２の垂直集塵面１４４を有している。第１の領域１１０の集塵電極プレート１１８および中間領域１１１の集塵電極プレート１１９は、ノズル１２４の第１の組１２２およびノズル１２４の第２の組１２３のそれぞれによって洗浄されるようになっている。第２の領域１１２の集塵電極プレート１３６の洗浄は液体分配器１４２の組１４０によって行なわれ、各液体分配器は、図４に示される主題の説明に関連して前述した構造と同じ構造を有している。図５を更に参照すると、第１の領域１１０から流れ落ちる液体は第１のホッパ１４８内に収集される。第１のホッパ１４８内に収集された液体の第１の部分はパイプ１５２を介して第１のタンク１５６へ送られる。第１のホッパ１４８内に収集される液体の第２の部分は、パイプ１６２を介して循環から取り除かれ、例えば図示しない液体処理プラントへ移動される。中間領域１１１から流れ落ちる液体は、中間ホッパ１５１内に収集され、パイプ１５３を介して第１のタンク１５６へと送られる。図示しないポンプが、パイプ１６０を介して液体をノズル１２４の第１の組１２２およびノズル１２４の第２の組１２３の両方へ圧送するように作用する。液体分配器１４２には、パイプ１６４を介して、本発明において水の形態を成すことが好ましい新鮮な補給液体の形態を成す液体が供給される。第２の領域１１２から流れ落ちる液体は第２のホッパ１５０内に収集される。第１のホッパ１４８および中間ホッパ１５１の両方から分離される第２のホッパ１５０は、パイプ１５４を介して第２のタンク１５７へと排液する。パイプ１５９が液体を第２のタンク１５７から第１のタンク１５６へと輸送する。一選択肢として、本発明の本質から逸脱することなく、第２のタンク１５７からの何らかの液体を元の液体分配器１４２へとパイプ１６１を介して再循環させることができる。第２の領域１１２の液体分配器１４２へ供給される液体の少なくとも５０％が新鮮な補給水であることが好ましく、この場合、液体の残りは、ある程度まで、第２のタンク１５７から再循環される。更に他の選択肢は、本発明の本質から逸脱することなく、新鮮な補給水の一部を中間領域１１１のノズル１２４の第２の組１２３へとパイプ１６３を介して送ることである。好ましくは、本発明によれば、湿式静電集塵装置１００へ供給される新鮮な補給水の総量の少なくとも５０％が、パイプ１６４を介して、第２の領域、すなわち、最後の領域１１２へ供給される。中間領域１１１の形態を成す更なる領域を設けると、塵埃粒子及び／又はエアロゾルが関与する限りにおいて除去効率が高められる。湿式静電集塵装置の最後の領域である第２の領域１１２がミストエリミネータとして機能するという事実に起因して、中間領域１１１の集塵電極プレート１１９に噴射するためのノズル１２４の使用は、燃焼排ガス１０８中に混入され且つ湿式静電集塵装置１００から出る液滴の量の増大を何らもたらさない。湿式静電集塵装置１００において、新鮮な補給液体は、主に、全体ではない場合、湿式静電集塵装置１００の最後の領域を構成する第２の領域１１２へ送られ、これにより、意図せずに形成される任意の液滴が、主に、純粋な液体、例えば純水と、これに含有される低濃度の塵埃粒子及び／又はエアロゾルのみからなる。湿式静電集塵装置１００からの液体は第１のホッパ１４８から処分され、また、最も汚染された液体が見出されるのは第１のホッパ１４８内であると予期され得る。
【００３５】
図６は、本発明の第３の実施形態に係る湿式静電集塵装置２００の概略図である。図６に示される湿式静電集塵装置２００は、塵埃粒子及び／又はエアロゾルが混入された燃焼排ガス２０４を受けるための入口２０２と、燃焼排ガス２０４中に混入された塵埃粒子及び／又はエアロゾルの少なくとも一部が除去された燃焼排ガス２０８をそこから排出するための出口２０６と、ケーシング２０９とを包含している。湿式静電集塵装置２００は、更に、単一の領域２１０を包含している。領域２１０は、図６に示されない放電電極の組と、集塵電極プレートとを包含しており、そのうちの１つの集塵電極プレート２１８が図６に示されている。図６に示されない整流器は、図１に示される主題の説明に関連して前述した態様と同様の態様で、放電電極と集塵電極プレート２１８との間に電圧を印加するように作用する。集塵電極プレート２１８は、入口２０２に隣接して位置する第１の部分２１９と、出口２０６に隣接して位置する第２の部分２３６とに分けられる。したがって、第２の部分２３６は第１の部分２１９の下流側に位置する。第１の部分２１９の領域および第２の部分２３６の領域はそれぞれ図６に破線によって示されている。集塵電極プレート２１８の第１の部分２１９は、ノズル２２４の組２２２によって洗浄されるようになっている第１の垂直集塵面２３０を包含している。したがって、ノズル２２４は、第１の垂直集塵面２３０上に液体を噴射するように作用する。集塵電極プレート２１８の第２の部分２３６は、液体分配器の組２４０によって洗浄されるようになっている第２の垂直集塵面２４４を包含しており、図示の明確さを維持するため、図６には、液体分配器のうちの１つの液体分配器２４２のみが示されている。本発明のこの第３の実施形態によれば、液体分配器２４２は、図３および図４に示される主題の説明に関連して前述した液体分配器４２，１４２の構造と類似する構造を有していることが好ましい。液体分配器２４２は、例えば水などの液体を第２の垂直集塵面２４４上に注ぐように作用する。本発明においては、好ましくは水である新鮮な補給液体がパイプ２６４を介して液体分配器２４２へ供給される。ホッパ２４８内に収集される液体は、パイプ２５２を介してタンク２５６へ送られる。タンク２５６からの液体は、パイプ２６０および図示しないポンプを介して、ノズル２２４の組２２２へと送られる。液体は、パイプ２６２を介して湿式静電集塵装置２００から排出される。図６に示される湿式静電集塵装置２００において、集塵電極プレート２１８の第１の部分２１９は、塵埃粒子及び／又はエアロゾルの主要な収集体として機能する。集塵電極プレート２１８の第２の部分２３６は、第１の部分２１９の第１の垂直集塵面２３０の洗浄を行なうように作動するノズル２２４からの噴射の結果として形成された液滴を収集するミストエリミネータとして機能する。集塵電極プレート２１８の第２の部分２３６は、液滴を収集することに加えて、集塵電極プレート２１８の第１の部分２１９で収集されなかった塵埃粒子及び／又はエアロゾルの一部を収集する機能も果たす。したがって、図６に示される湿式静電集塵装置２００によれば、塵埃粒子及び／又はエアロゾルの効率的な除去と、たった１つの単一領域２１０のみの使用による液滴の効率的な除去とを組み合わせることができる。
【００３６】
前述した実施形態の多くの変形が、特許請求の範囲の記載の範囲内で可能であることは言うまでもない。
【００３７】
要約すると、前述したように、本発明に係る湿式静電集塵装置１、１００、２００は、図６に示される１つの領域２１０、図１および図２に示される２つの領域１０、１２、または、図５に示される３つの領域１１０、１１１、１１２を有することができる。本発明の本質から逸脱することなく、湿式静電集塵装置が４個、５個、または、更に多くの領域を有するように更なる領域を設けることもできることは言うまでもない。これに関しては、２〜５個の領域が最も頻繁に使用される。本発明によれば、湿式静電集塵装置１、１００の最後の領域１２、１１２のそれぞれに液体分配器４２、１４２の組４０、１４０を設け、また、５個の領域を有する湿式静電集塵装置における他の領域１０、１１０、１１１、例えば領域１〜４にノズル２４、１２４の組２２、１２２、１２３を設けることが好ましいが、必ずしもそうする必要はない。しかしながら、５個の領域を有する湿式静電集塵装置の領域３、５に液体分配器の組を設け、一方、領域１、２、４にノズルの組を設けることも可能である。後者の場合、湿式静電集塵装置の最後の領域である第５の領域によって収集されなければならない液滴の量が減少され、したがって、第５の領域における負担が軽減される。
【００３８】
図３および図４は液体分配器４２、１４２の２つの異なる構造を示している。本発明の本質から逸脱することなく他の構造をもつ液体分配器も可能であることは言うまでもない。このような他の構造の例としては、単なる一例として、限定的ではなく、正方形または長方形チューブ、オーバーフロー手段を有する開放された細長いチャンネルなどが挙げられる。
【図１】
2009539579.tif 000003
【図２】
2009539579.tif 000004
【図３】
2009539579.tif 000005
【図４】
2009539579.tif 000006
【図５】
2009539579.tif 000007
【図６】
2009539579.tif 000008
【国際調査報告】
2009539579.tif 000009
2009539579.tif 000010